(57)【特許請求の範囲】
【請求項１】
ケーブルが通されて保持される筒部と、前記筒部に向かって隆起して該筒部の外周に連結する隆起部と、を有するグロメットであって、
前記隆起部は、複数の突起部が周方向に間隔を空けて並んで形成されたものであり、
前記筒部に保持されたケーブルが、前記隆起部が潰れる方向に動かされた場合に、隣接する前記突起部が互いに接触して、前記隆起部の潰れを抑制することを特徴とするグロメット。
【請求項２】
前記筒部に保持されたケーブルが、前記隆起部が潰れる方向に動かされた場合に、隣接する前記突起部は、前記筒部側の一部が互いに接触することを特徴とする請求項１に記載のグロメット。
【請求項３】
前記突起部は、それぞれの前記筒部側が、隣接する前記突起部に向かって突出した凸部を有し、
前記筒部に保持されたケーブルが、前記隆起部が潰れる方向に動かされた場合に、隣接する前記突起部は、前記凸部が互いに接触することを特徴とする請求項１又は２に記載のグロメット。
【発明の詳細な説明】
【技術分野】
【０００１】
本発明は、ケーブルが通されて保持される筒部と、筒部に向かって隆起して筒部の外周に連結する隆起部と、を有するグロメットに関する。
【背景技術】
【０００２】
移動体としての車両には、多種多様な電子機器が搭載されている。これらの電子機器は、互いの間で電力や制御信号などを伝えるためにケーブルによって接続されている。このようなケーブルが車体のパネルを貫通して配索される場合にグロメットが用いられる（例えば、特許文献１及び特許文献２参照。）。グロメットは、ケーブルが通されて保持される筒部と、筒部に向かって隆起して筒部の外周に連結する隆起部と、を有し、弾性体で形成される。パネルに設けられた貫通孔に隆起部が嵌め込まれて、その貫通孔の内周縁とケーブルとの間に介在する。ケーブルは、硬質なパネルの貫通孔の内周縁からこのグロメットによって保護される。
【先行技術文献】
【特許文献】
【０００３】
【特許文献１】特開平６−２３１６４２号公報
【特許文献２】特開２００３−０３２８５８号公報
【発明の概要】
【発明が解決しようとする課題】
【０００４】
ここで、このようなグロメットは、ケーブルの車両組付け時に、パネルに嵌め込まれた後、周辺の部品（例えば、リレーボックスやバッテリ等）の組付け時に、ケーブルが押されたり引張られたりすることがある。このとき、グロメットの隆起部は潰れるように変形しつつ、筒部の外周へと押し付けられる。これにより隆起部のパネル嵌合部が、パネルの貫通孔の内側へと変形することが抑えられ、グロメットがパネルから抜け難くなる。
【０００５】
このとき、ケーブルが細いと、グロメットがいくら潰れてもなかなか筒部の外周へと十分に押し付けられず、その結果、隆起部のパネル嵌合部が過剰に変形し、パネルの貫通孔の内側へと落ち込んでグロメットが外れてしまうことがある。
【０００６】
本発明の目的は、ケーブルの太さに関わらず、ケーブルが押されたり引張られたりして外力が掛かった場合に、隆起部のパネル嵌合部の過剰な変形を抑制することができるグロメットを提供することにある。
【課題を解決するための手段】
【０００７】
上記目的を達成するために、本発明のグロメットは、ケーブルが通されて保持される筒部と、前記筒部に向かって隆起して該筒部の外周に連結する隆起部と、を有するグロメットであって、前記隆起部は、複数の突起部が周方向に間隔を空けて並んで形成されたものであり、前記筒部に保持されたケーブルが、前記隆起部が潰れる方向に動かされた場合に、隣接する前記突起部が互いに接触して、前記隆起部の潰れを抑制することを特徴としている。
【０００８】
本発明のグロメットによれば、ケーブルが押されたり引張られたりして外力が掛かって隆起部が潰れ始めると、その隆起部において、隣接する突起部が互いに接触して隆起部の潰れが抑制される。これにより、隆起部の形状を安定させて保持力を向上させることで、上記のようにグロメットをパネルから脱落させる恐れがある隆起部の過剰な変形を抑制することができる。また、隣接する突起部が互いに接触することで、隆起部の変形が抑えられてその形状が安定した状態になると、ケーブルに対する押込み力や引張り力（以下、引張り力等という）は、隆起部における、上述したパネル嵌合部のパネルの貫通孔の内側への変形を抑える方向に働くことになる。この力の伝達経路にケーブルの太さが関与する余地はなく、ケーブルの太さに関わらず、パネルからグロメットを脱落させる恐れがある隆起部のパネル嵌合部の過剰な変形を抑制することができる。
【０００９】
また、本発明のグロメットにおいて、前記筒部に保持されたケーブルが、前記隆起部が潰れる方向に動かされた場合に、隣接する前記突起部は、前記筒部側の一部が互いに接触することが好適である。
【００１０】
この好適なグロメットによれば、隣接する突起部は、筒部側の一部が互いに接触する。ケーブルに対する引張り力等は、筒部を介して突起部の筒部側に伝わるが、上記の好適なグロメットによれば、上記のような筒部側での接触により突起部どうしが筒部側で強固に結び合わされることとなり、上記のように伝わる引張り力等を安定的に受けることができる。
【００１１】
また、本発明のグロメットにおいて、前記突起部は、それぞれの前記筒部側が、隣接する前記突起部に向かって突出した凸部を有し、前記筒部に保持されたケーブルが、前記隆起部が潰れる方向に動かされた場合に、隣接する前記突起部は、前記凸部が互いに接触することも好適である。
【００１２】
この好適なグロメットによれば、隣接する突起部の凸部が互いに接触するように構成することで、突起部における隣との接触箇所の強度を高めることができる。これにより、隆起部の過剰な変形を一層抑制することができる。
【発明の効果】
【００１３】
本発明によれば、ケーブルの太さに関わらず、ケーブルが押されたり引張られたりして外力が掛かった場合に、隆起部のパネル嵌合部の過剰な変形を抑制することができる。
【図面の簡単な説明】
【００１４】
【図１】本発明の一実施形態としてのグロメットを示す斜視図である。
【図２】図１に示されているグロメットの、図１中のＶ１１−Ｖ１１断面を示す断面図である。
【図３】図１に示されているグロメットの隆起部が、ケーブルが引かれることで潰れる様子を示す図である。
【図４】図１〜図３に示されているグロメットと比較するための比較例のグロメットを示す図である。
【図５】図４に示されている比較例のグロメットの、図１中のＶ５１−Ｖ５１断面を示す断面図である。
【図６】図４及び図５に示されている比較例のグロメットにおいて、ケーブルに対する引張り力等が隆起部の形状を安定させる様子を示した図である。
【発明を実施するための形態】
【００１５】
以下、本発明の一実施形態のグロメットについて説明する。
【００１６】
図１は、本発明の一実施形態としてのグロメットを示す斜視図である。図２は、図１に示されているグロメットの、図１中のＶ１１−Ｖ１１断面を示す断面図である。
【００１７】
本実施形態のグロメット１は、車両のパネルＰに設けられた貫通孔Ｐ１の内周縁とケーブルＣａとの間に介在して設けられ、硬質なパネルＰの貫通孔Ｐ１の内周縁からこのケーブルＣａを保護する。グロメット１は、筒部１１０と、隆起部１２０と、を有する。
【００１８】
筒部１１０は、円筒状に形成されてケーブルＣａが通される。筒部１１０の内面には突条１１１が形成されており、この突条１１１がケーブルＣａの外周面に押し付けられることで、ケーブルＣａが筒部１１０に保持される。
【００１９】
隆起部１２０は、筒部１１０に向かって椀型に隆起して筒部１１０の外周に連結している。この隆起部１２０は、筒部１１０の周囲を囲む円環部１２１と、この円環部１２１と筒部１１０の外周との間を連結する複数の突起部１２２と、を有している。複数の突起部１２２は、周方向に間隔ｄ１１を空けて並んで形成されている。
【００２０】
円環部１２１の外周には溝部１２１ａが全周に亘って設けられており、パネルＰの貫通孔Ｐ１の内周縁がこの溝部１２１ａに嵌め込まれることで、グロメット１がパネルＰに取り付けられる。
【００２１】
突起部１２２は、その先端１２２ａを筒部１１０に向けて円環部１２１から図中斜め上方に傾斜して立ち上がった肉厚の部位である。この突起部１２２の先端１２２ａは、筒部１１０の外周から離れており、突起部１２２の先端１２２ａの近傍が、屈曲部１２３によって筒部１１０の外周に連結されている。また、突起部１２２の先端１２２ａは、周方向に隣接する２つの突起部１２２それぞれに向かって突出した一対の凸部１２２ｂが設けられて、筒部１１０の開口側から見下ろした時の平面視でＴ字型に形成されている。
【００２２】
ここで、グロメット１は、車両組付け時に、周辺の部品（例えば、リレーボックスやバッテリ等）を組み付けるにあたり、ケーブルＣａが矢印Ｄ１１方向に押されたり引張られたりする力が掛かる。このような力は、以下に説明するような構造が仮にグロメット１に設けられていなかったとすると、パネルＰの貫通孔Ｐ１からグロメット１を脱落させる恐れがある。本実施形態では、ケーブルＣａがこのように押されたり引張られたりすると、ケーブルＣａを保持している筒部１１０が矢印Ｄ１１方向に移動する。すると、この筒部１１０に屈曲部１２３によって連結されている各突起部１２２の先端１２２ａが、筒部１１０に向かって矢印Ｄ１２方向に移動して隆起部１２０が潰れる。
【００２３】
図３は、図１に示されているグロメットの隆起部が、ケーブルが引かれることで潰れる様子を示す図である。図３（Ａ）には、隆起部１２０が潰れる前のグロメット１が示されており、図３（Ｂ）には、隆起部１２０が潰れた状態のグロメット１が示されている。
【００２４】
本実施形態では、ケーブルＣａが矢印Ｄ１１方向に押されたり引張られたりして、各突起部１２２の先端１２２ａが、矢印Ｄ１２方向に移動すると、隣接する突起部１２２の先端１２２ａ側では、凸部１２２ｂ相互間の間隔ｄ１１が縮まる。やがて、図３（Ｂ）に示されているように、間隔ｄ１１がゼロになって凸部１２２ｂが互いに接触したところで隆起部１２０の潰れが止まる。また、このときには、複数の突起部１２２のそれぞれの先端１２２は、筒部１１０から離れた位置に留まる。
【００２５】
なおケーブルＣａが矢印Ｄ１１方向に押されたり引張られたりすると、それらの外力（以下、引張り力等という）が、上記のように凸部１２２ｂ（即ち、突起部１２２）が互いに接触した状態の隆起部１２０を介し、パネルＰの貫通孔Ｐ１の内周縁に向かって円環部１２１を押し付ける力となり、グロメット１がパネルＰから抜け難くなる。
【００２６】
図４は、図１〜図３に示されているグロメットと比較するための比較例のグロメットを示す図である。図５は、図４に示されている比較例のグロメットの、図１中のＶ５１−Ｖ５１断面を示す断面図である。
【００２７】
比較例のグロメット５も、ケーブルＣａが通されて保持される筒部５１０と、筒部５１０に向かって隆起して筒部５１０の外周に連結する隆起部５２０と、を有する。
【００２８】
隆起部５２０は、筒部５１０の周囲を囲む円環部５２１と、この円環部５２１と筒部５１０の外周との間を連結する複数の突起部５２２と、を有している。複数の突起部５２２は、周方向に間隔ｄ５１を空けて並んで形成されている。
【００２９】
この比較例のグロメット５も、円環部５２１の外周に設けられた溝部５２１ａにパネルＰの貫通孔Ｐ１の内周縁が嵌め込まれることでパネルＰに取り付けられる。
【００３０】
突起部５２２は、その先端５２２ａを筒部５１０に向けて円環部５２１から図中斜め上方に傾斜して立ち上がった肉厚の部位である。この突起部５２２の先端５２２ａは、筒部５１０の外周から若干離れており、突起部５２２の先端５２２ａの近傍が、屈曲部５２３によって筒部５１０の外周に連結されている。
【００３１】
ここで、比較例のグロメット５では、図のスケールの関係上分かり難くなっているが、突起部５２２相互間の間隔ｄ５１が、図１〜図３に示されているグロメット１における突起部１２２相互間の間隔ｄ１１よりも若干広くなっている。また、突起部５２２の先端５２２ａと筒部５１０の外周との間隔は、図１〜図３に示されているグロメット１における突起部１２２の先端１２２ａと筒部１１０の外周との間隔よりも狭くなっている。これは、比較例のグロメット５では、ケーブルＣａが、隆起部５２０における隆起方向とは反対側となる矢印Ｄ５１方向に動かされたときに、その引張り力等に対して隆起部５２０の形状を次のように安定させてグロメット５を抜け難くするべく構成されているからである。
【００３２】
図６は、図４及び図５に示されている比較例のグロメットにおいて、ケーブルに対する引張り力等が隆起部の形状を安定させる様子を示した図である。
【００３３】
比較例のグロメット５でも、ケーブルＣａが矢印Ｄ５１方向に引かれると、各突起部５２２の先端５２２ａが筒部５１０に向かって矢印Ｄ５２方向に移動して隆起部５２０が潰れる。ただし、比較例のグロメット５では、このような隆起部５２０の変形が、各突起部５２２の先端５２２ａが筒部５１０の外周に押し当てられて、内部のケーブルＣａが締め付けられるようになるまで続く。そして、ケーブルＣａが締め付けられるようになってはじめて突起部５２２の先端５２２ａの移動が止まり、これにより隆起部５２０の変形が止まってその形状が安定する。ここまでの隆起部５２０の変形が可能となるように、突起部５２２相互間の間隔ｄ５１が広く、突起部５２２の先端５２２ａと筒部５１０の外周との間隔が狭くなっている。
【００３４】
比較例のグロメット５では、上記のようにケーブルＣａの締付けによって変形が止まって隆起部５２０の形状が安定した後、なおケーブルＣａが押されたり引張られたりすると、それらの引張り力等が、パネルＰの貫通孔Ｐ１の内周縁に向かって円環部１２１を押し付ける力となり、比較例のグロメット１がパネルＰから抜け難くなる。
【００３５】
ここで、比較例のグロメット５では、ケーブルＣａが細い場合に、隆起部５２０がいくら潰れてもなかなか筒部５１０の外周へと十分に押し付けられず、その結果、隆起部５２０が過剰に変形することがある。隆起部５２０の過剰な変形は、パネルＰの貫通孔Ｐ１からの隆起部５２０（即ち、グロメット５）の脱落につながってしまう。
【００３６】
これに対し、図１〜図３に示されている本実施形態のグロメット１によれば、ケーブルＣａが引かれて隆起部１２０が潰れ始めると、その隆起部１２０において、隣接する突起部１２２が互いに接触して隆起部１２０の潰れが抑制される。これにより、パネルＰの貫通孔Ｐ１からのグロメット１の脱落につながる恐れがある隆起部１２０の過剰な変形を抑制することができる。また、隣接する突起部１２２が互いに接触することで、隆起部１２０の変形が抑えられてその形状が安定した状態になると、ケーブルＣａに対する引張り力等は、隆起部１２２における、上述したパネル嵌合部のパネルＰの貫通孔Ｐ１の内側への変形を抑える方向に働くことになる。この力の伝達経路にケーブルＣａの太さが関与する余地はなく、ケーブルＣａの太さに関わらず、パネルＰからグロメット１を脱落させる恐れがある隆起部１２２のパネル嵌合部の過剰な変形を抑制することができる。
【００３７】
また、本実施形態のグロメット１では、筒部１１０に保持されたケーブルＣａが、隆起部１２０が潰れる方向に動かされた場合に、隣接する突起部１２２は、筒部１１０側の一部が互いに接触するように構成されている。
【００３８】
このグロメット１によれば、隣接する突起部１２２は、筒部１１０側の一部が互いに接触する。ケーブルＣａに対する引張り力等は、筒部１１０を介して突起部１２２の筒部１１０側に伝わるが、グロメット１によれば、上記のような筒部１１０側での接触により突起部１２２どうしが筒部１１０側で強固に結び合わされる。これにより、上記のように伝わる引張り力等を突起部１２２で、つまりはグロメット１で安定的に受けることができる。
【００３９】
また、本実施形態のグロメット１では、突起部１２２は、それぞれの筒部１２０側が、隣接する突起部１２０に向かって突出した凸部１２２ｂを有している。そして、筒部１１０に保持されたケーブルＣａが、隆起部１２０が潰れる方向に動かされた場合に、隣接する突起部１２２は、凸部１２２ｂが互いに接触するように構成されている。
【００４０】
本実施形態のグロメット１では、隣接する突起部１２２の凸部１２２ｂが互いに接触するように構成することで、突起部１２２における隣との接触箇所の強度が高められている。これにより、隆起部１２０の過剰な変形を一層抑制することができる。
【００４１】
尚、前述した実施形態は本発明の代表的な形態を示したに過ぎず、本発明は、実施形態に限定されるものではない。即ち、本発明の骨子を逸脱しない範囲で種々変形して実施することができる。かかる変形によってもなお本発明のグロメットの構成を具備する限り、勿論、本発明の範疇に含まれるものである。
【００４２】
例えば、前述した実施形態では、本発明にいうグロメットの一例として、隆起部１２０の変形に依らず、突起部１２２の先端１２２ａが常に筒部１１０から離れた状態となるグロメット１が例示されている。しかしながら、本発明にいうグロメットはこれに限るものではない。本発明にいうグロメットは、例えば図４〜図６に示されている比較例のグロメット５のように、ケーブルが引っ張られて隆起部が潰れると突起部の先端が筒部に押し当てられてケーブルを締め付けるタイプのものであってもよい。ただし、この場合であっても、隆起部の変形は、ケーブルの太さに関わらず、隣接する突起部の接触によってある程度のところで止まるようになる。そして、ケーブルが太い場合には、突起部の先端の押し当てによるケーブルの締付けも隆起部の形状を安定させてグロメットを抜け難くすることに寄与する。他方、ケーブルが細くケーブルの締付けが不十分となる場合には、隣接する突起部の接触によって隆起部の形状を安定させてグロメットを抜け難くすることとなる。
【００４３】
また、前述した実施形態では、本発明にいう隆起部の一例として、複数の突起部１２２が周方向に並べられて、椀型に隆起した形状に形成された隆起部１２０が例示されている。しかしながら、本発明にいう隆起部は、これに限るものではない。本発明にいう隆起部は、筒部に向かって隆起した形状となっていれば、円錐台型であってもよく、あるいは、円柱型等であってもよく、その具体的な隆起形状を問うものではない。
【００４４】
また、前述した実施形態では、本発明にいう突起部の一例として、隣り合うものどうし筒部１１０側の一部が互いに接触する突起部１２２が例示されている。しかしながら、本発明にいう突起部は、これに限るものではない。本発明にいう突起部は、隣接する突起部が、その側縁の全長に亘って互いに接触するものや、筒部とは反対側の一部が互いに接触するもの等であってもよい。本発明にいう突起部は、隆起部が潰れる方向に動かされた場合に、隣接する突起部が互いに接触するものであれば、その具体的な接触形態を問うものではない。ただし、ケーブルに対する引張り力等が掛かる筒部側の一部を互いに接触させて強固に結び合わせることで、その引張り力等を安定的に受けることができる点は上述した通りである。
【００４５】
また、前述した実施形態では、本発明にいう突起部の一例として、筒部１１０側に、隣接する突起部１２２に向かって突出した凸部１２２ｂを有し、この凸部１２２ｂが互いに接触するように構成された突起部１２２が例示されている。しかしながら、本発明にいう突起部はこれに限るものではなく、例えば、筒部側の先端に至るまで略同幅で肉厚に形成されたもの等であってもよい。ただし、この場合には、上記のような隆起部の過剰な変形を抑制するべく、突起部相互間の間隔を全体的に詰めて形成する必要がある。これに対し、上記のように凸部１２２ｂが互いに接触するように構成された突起部１２２では、凸部１２２ｂ以外を一部薄くして両者間に広く空間を設けることができ、その分、グロメット１全体の重量が軽減されている。このように、凸部１２２ｂが互いに接触するように構成された突起部１２２によれば、上述した強度面での利点に加えて、グロメット１の軽量化を図ることができる、という点でも有利である。
【符号の説明】
【００４６】
１        グロメット
１１０    筒部
１２０    隆起部
１２１    円環部
１２２    突起部
１２２ａ  先端
１２２ｂ  凸部
【図１】
0006282015.tif 000002
【図２】
0006282015.tif 000003
【図３】
0006282015.tif 000004
【図４】
0006282015.tif 000005
【図５】
0006282015.tif 000006
【図６】
0006282015.tif 000007